(57)【要約】【課題】  使用状態と収納状態に簡単に変更でき、しかも、構成が簡単であるペット収納ボックスを提供する。【解決手段】  底面壁２と天面部３と２つの側面壁４，５と前面壁６と後面壁７から直方体形状を有し、隣接する稜線部に沿って折り曲げ可能に形成されていると共に、両側の側面壁４，５には、当該側面壁４，５の互いに対向する稜線部同士を合わせる状態に変形可能とする切り込み部１０をそれぞれ設け、この切り込み部１０を設けた両側の側面壁４，５を押し潰す方向に押圧力Ｆを加えて折り畳み可能に構成された。切り込み部１０によってペット出入口１１を形成した。【選択図】      図１
2005348701.tif 000002
【特許請求の範囲】
【請求項１】
６つの壁面部によって直方体形状に形成され、隣接する前記壁面部間の稜線部に沿って折り曲げ可能に形成されていると共に、一対の対向する前記壁面部には当該壁面部の互いに対向する稜線部同士を合わせる状態に変形可能とする切り込み部をそれぞれ設け、この切り込み部を設けた両側の前記壁面部を押し潰す方向に押圧力を加えて折り畳み可能に構成されたことを特徴とするペット収納ボックス。
【請求項２】
請求項１記載のペット収納ボックスであって、
前記切り込み部によってペット出入口を形成したことを特徴とするペット収納ボックス。
【請求項３】
請求項２記載のペット収納ボックスであって、
前記ペット出入口は、蓋体で開閉可能に設けられたことを特徴とするペット収納ボックス。
【請求項４】
請求項３記載のペット収納ボックスであって、
前記蓋体は、ファスナーの開閉で前記開口部を開閉可能に設けられたことを特徴とするペット収納ボックス。
【請求項５】
請求項１乃至請求項４のいずれか一項に記載されたペット収納ボックスであって、
前記切り込み部は、当該壁面部の３つの稜線部に沿ってコ字形状に形成されたことを特徴とするペット収納ボックス。
【請求項６】
請求項４又は請求項５に記載のペット収納ボックスであって、
前記切り込み部に両開きファスナーのレールが設けられ、このファスナーの一対のスライダーに取り付けられている引手には、これらの引手を繋ぐ第一の紐が設けられており、前記ファスナーの閉じ側の辺とこの辺と対向する辺には、前記ファスナーの閉じ側の辺とこの辺と対向する辺を繋ぐ第二の紐が設けられていることを特徴とするペット収納ボックス。
【請求項７】
請求項１乃至請求項４のいずれか一項に記載されたペット収納ボックスであって、
前記切り込み部は、当該壁面部の対角線上に延びるスリット形状に形成されたことを特徴とするペット収納ボックス。
【請求項８】
６つの壁面部によって直方体形状に形成され、隣接する前記壁面部間の稜線部に沿って折り曲げ可能に形成されていると共に、一対の対向する前記壁面部の対角線上に位置する稜線部に切り込み部をそれぞれ設け、この一対の切り込み部は、当該壁面部の１つの稜線部に沿い、かつ、当該壁面部に隣接する前記壁面部間の両側の稜線部の途中まで延設されることによって略コ字状を有し、略コ字形状の前記開口部によって当該壁面部を隣接する前記壁面部に対して内側に折り込み、折り込んだ一対の前記壁面部を互いに突き合わせる方向に押圧力を加えて折り畳み可能に構成されたことを特徴とするペット収納ボックス。
【発明の詳細な説明】
【技術分野】
【０００１】
本発明は、ペットを収納して持ち運ぶペット収納ボックスに関する。
【背景技術】
【０００２】
この種のペット収納ボックスとして、例えば図８〜図１０に開示されたものがある（特許文献１参照。）。このペット収納ボックス１００は、図８に示すように、底面壁１０１と天面壁１０２と２つの側面壁１０３，１０４と前面壁１０５と後面壁１０６の６面から直方体形状を有する。底面壁１０１と天面壁１０２と前面壁１０５と後面壁１０６の間の稜線部にはヒンジ１０７がそれぞれ設けられ、各ヒンジ１０７によって稜線に沿って折り曲げ可能に形成されている。一方の側面壁１０３は底面壁１０１にヒンジ１０８を介して連結され、他方の側面壁１０４は天面壁１０２にヒンジ１０９を介して連結されている。
【０００３】
また、前面壁１０５と後面壁１０６の中央位置にはヒンジ部１１０がそれぞれ形成されており、この各ヒンジ部１１０を内側に折り込むことによって折り曲げ可能に形成されている。
【０００４】
上記構成において、ペット収納ボックス１００を収納状態とするには、図８に示すように、両側の側面壁１０３，１０４をそれぞれ内側に折り畳み、両側の側面壁１０３，１０４を低面壁１０１及び天面壁１０２の内面に沿って配置する。次に、図９に示すように、前面壁１０５及び後面壁１０６の中央のヒンジ部１１０を内側に折り曲げる。そして、図１０に示すように、底面壁１０１と天面壁１０２とを互いに付き合わせた状態とすれば完了する。
【０００５】
また、ペット収納ボックス１００を使用状態とするには、上記と逆の手順によりペット収納ボックス１００を展開すれば良い。
【０００６】
このペット収納ボックス１００によれば、ペット（不図示）の搬送に使用しない場合にはペット収納ボックス１００をコンパクトにできる。
【特許文献１】特開２００２−１５９２３５号公報
【発明の開示】
【発明が解決しようとする課題】
【０００７】
しかしながら、上記従来のペット収納ボックス１００では、底面壁１０１と天面壁１０２と２つの側面壁１０３，１０４と前面壁１０５と後面壁１０６の６面全ての稜線部で、かつ、連結されている箇所を全てヒンジ部１０７，１０８，１０９に形成するだけではなく、前面壁１０５と後面壁１０６の上下方向の中心位置にもヒンジ部１１０を設けなければならないため、構成が複雑である。
【０００８】
そこで、本発明は、使用状態と収納状態に簡単に変更でき、しかも、構成が簡単であるペット収納ボックスを提供することを目的とする。
【課題を解決するための手段】
【０００９】
請求項１の発明は、６つの壁面部によって直方体形状を形成し、隣接する前記壁面部間の稜線部に沿って折り曲げ可能に形成されていると共に、一対の対向する前記壁面部には当該壁面部の互いに対向する稜線部同士を合わせる状態に変形可能とする切り込み部をそれぞれ設け、この切り込み部を設けた両側の前記壁面部を押し潰す方向に押圧力を加えて折り畳み可能に構成されたことを特徴とする。
【００１０】
請求項２の発明は、請求項１記載のペット収納ボックスであって、前記切り込み部によってペット出入口を形成したことを特徴とする。
【００１１】
請求項３の発明は、請求項２記載のペット収納ボックスであって、前記ペット出入口は、蓋体で開閉可能に設けられたことを特徴とする。
【００１２】
請求項４の発明は、請求項３記載のペット収納ボックスであって、前記蓋体は、ファスナーの開閉で前記開口部を開閉可能に設けられたことを特徴とする。
【００１３】
請求項５の発明は、請求項１乃至請求項４のいずれか一項に記載されたペット収納ボックスであって、前記切り込み部は、当該壁面部の３つの稜線部に沿ってコ字形状に形成されたことを特徴とする。
【００１４】
請求項６の発明は、請求項４又は請求項５に記載のペット収納ボックスであって、前記切り込み部に両開きファスナーのレールが設けられ、このファスナーの一対のスライダーに取り付けられている引手には、これらの引手を繋ぐ第一の紐が設けられており、前記ファスナーの閉じ側の辺とこの辺と対向する辺には、前記ファスナーの閉じ側の辺とこの辺と対向する辺を繋ぐ第二の紐が設けられていることを特徴とする。
【００１５】
請求項７の発明は、請求項１乃至請求項４のいずれか一項に記載されたペット収納ボックスであって、前記切り込み部は、当該壁面部の対角線上に延びるスリット形状に形成されたことを特徴とする。
【００１６】
請求項８の発明は、６つの壁面部によって直方体形状に形成され、隣接する前記壁面部間の稜線部に沿って折り曲げ可能に形成されていると共に、一対の対向する前記壁面部の対角線上に位置する稜線部に切り込み部をそれぞれ設け、この一対の切り込み部は、当該壁面部の１つの稜線部に沿い、かつ、当該壁面部に隣接する前記壁面部間の両側の稜線部の途中まで延設されることによって略コ字状を有し、略コ字形状の前記開口部によって当該壁面部を隣接する前記壁面部に対して内側に折り込み、折り込んだ一対の前記壁面部を互いに突き合わせる方向に押圧力を加えて折り畳み可能に構成されたことを特徴とする。
【発明の効果】
【００１７】
請求項１の発明によれば、切り込み部を有する両側の壁面部を押し潰すようにして変形させることによって折り畳むことができ、かつ、押し潰す２つの壁面部にのみ切り込み部を設ければ良い。このため、使用状態と収納状態に簡単に変更でき、しかも、構成が簡単である。
【００１８】
請求項２の発明によれば、請求項１の発明の効果に加え、ペット出入口を別途設ける必要がないため、構成の簡略化になる。
【００１９】
請求項３の発明によれば、請求項２の発明の効果に加え、運搬の際に、ペットの出入りを規制できるため、安心して運搬できる。
【００２０】
請求項４の発明によれば、請求項３の発明の効果に加え、開口部の開閉を容易に行うことができる。
【００２１】
請求項５の発明によれば、請求項１〜請求項４の発明の効果に加え、複数の方向から押し潰すことができるため、押し潰す方向に自由度が出る。
【００２２】
請求項６の発明によれば、請求項４又は請求項５の発明の効果に加え、開口部の開閉を片手で容易に行うことができる。
【００２３】
請求項７の発明によれば、請求項１〜請求項４の発明の効果に加え、切り込み部を最小限の大きさにできる。
【００２４】
請求項８の発明によれば、切り込み部を有する両側の当該壁面部を隣接する壁面部の内側にそれぞれ折り込み、折り込んだ両側の壁面部を互いに付き合わせる方向に押圧することによって折り畳むことができ、かつ、両側の壁面部に対しその各稜線部に沿って所定の切り込み部を設ければ良い。このため、使用状態と収納状態に簡単に変更でき、しかも、構成が簡単である。
【発明を実施するための最良の形態】
【００２５】
以下、本発明の実施形態を図面に基づいて説明する。
【００２６】
（第１実施形態）
図１（ａ）〜（ｃ）は本発明の第１実施形態を示し、図１（ａ）はペット収納ボックス１Ａの使用状態の斜視図、図１（ｂ）はペット収納ボックス１Ａの使用状態から収納状態に移行する途中の斜視図、図１（ｃ）はペット収納ボックス１Ａの収納状態の斜視図である。
【００２７】
図１（ａ）に示すように、本実施の形態に係るペット収納ボックス１Ａは、壁面部である底面壁２と天面部３と２つの側面壁４，５と前面壁６と後面壁７の６面によって直方体形状に形成され、内部にペット収納室が形成されている。各壁面部２〜７は、通気性が良く、ある程度の伸縮性があり、かつ、衝撃吸収性能の高い材質、例えば細かい網目のポリエステルメッシュ体（不図示）と、このポリエステルメッシュ体の直方体形状を保持するフレーム体（不図示）とを有する。フレーム体は、底面壁２と天面部３と前面壁６と後面壁７の直方体形状を押し潰す方向の押圧力Ｆが作用すると、各稜線部において各稜線に沿って容易に折り曲がるようになっている。
【００２８】
また、互いに対向する側面壁４，５には、この壁面部４，５の３つの稜線に沿ってコ字形状を有する切り込み部１０がそれぞれ形成されている。そして、各切り込み部１０によって方形状のペット出入口１１がそれぞれ形成されている。ペット出入口１１は、ポリエステルメッシュにて形成された蓋体１２によって開閉自在に設けられている。蓋体１２の周縁とペット出入口１１の周縁にはファスナー（不図示）が設けられており、このファスナーの開いたり、締めたりすることによってペット出入口１１を開閉できる。
【００２９】
上記構成において、使用状態にあるペット収納ボックス１Ａを収納状態とするには、図１（ａ）に示すように、両側の蓋体１２のファスナーを開き、両側の蓋体１２を底面壁２の内面に載置する。次に、図１（ｂ）に示すように、天面部３と前面壁６のほぼ稜線位置を押圧ポイントとし、このポイントを斜め下方に押圧する。この際、この押圧力Ｆによって、底面壁２と天面部３と前面壁６と後面壁７の各間の各稜線部が各稜線に沿って折り曲げられると共に、両側の側面壁４，５が互いに対向する稜線部同士を合わせる方向に変形する。ここで、両側の側面壁４，５には切り込み部１０が形成されているため、上記した変形が許容される。最終的に、図１（ｃ）に示すように、底面壁２と天面部３と前面壁６と後面壁７の互いの壁面同士が突き合わさるように折り畳まれた状態、つまり、収納状態となる。また、収納状態にあるペット収納ボックス１Ａを使用状態とするには、ペット収納ボックス１Ａへの押圧力Ｆを解除すれば、フレーム体（不図示）の復帰力によって直方体形状、つまり、使用状態に戻る。
【００３０】
このように、このペット収納ボックス１Ａでは、切り込み部１０を有する両側の壁面部４，５を押し潰すようにして変形させることによって折り畳むことができ、かつ、押し潰す２つの壁面部４，５にのみ切り込み部１０を設ければ良い。このため、使用状態と収納状態に簡単に変更でき、しかも、構成が簡単である。
【００３１】
以上示したように、本実施の形態に係るペット収納ボックスでは、切り込み部１０によってペット出入口１１が設けられているため、ペット出入口１１を別途設ける必要がなく、構成の簡略化になる。また、ペット出入口１１は蓋体１２で開閉可能に設けられているため、運搬の際にペットの出入りを規制でき、安心して運搬できる。さらに、ペット出入口１１はファスナーで開閉可能に設けられているため、ペット出入口１１の開閉を容易に行うことができる。また、各切り込み部１０は側面壁４，５の３つの稜線部に沿ってコ字形状に形成されているため、複数の方向から押し潰すことができ、押し潰す方向に自由度が出る。さらに、両側にペット出入口１１を設けているため、２方向からペットの出入りを行うことができる。また、切り込み部１０が側面壁４，５に設けられているため、ペットの排泄物が切り込み部１０より漏れて車両シート等を汚すことがない。
【００３２】
なお、図１（ｃ）において、壁面部４，５が正方形の場合には、ペット収納ボックス１Ａを更に折り畳むことが可能となる。
【００３３】
（第２実施形態）
図２は本発明の第２実施形態を示し、ペット収納ボックス１Ｂの斜視図である。この実施の形態に係るペット収納ボックス１Ｂでは、一方の側面壁４に設けられる切り込み部１０が当該側面壁４の３つの稜線に沿ってコ字形状に形成されているが、他方の側面壁５に設けられる切り込み部２０がこの側面壁５の対角線上に延びるスリット形状に形成されている。切り込み部１０は、上記第１実施形態と同様に、ペット出入口１１として形成されている。スリット状の切り込み部２０は、ファスナー（不図示）によって開閉可能に設けられている。なお、他の構成は上記第１実施形態と同様であるため、重複説明を回避すると共に、図面の同一構成箇所には同一符号を付してその明確化を図る。
【００３４】
この第２実施形態においても、ペット収納ボックス１Ｂを使用状態と収納状態に簡単に変更でき、しかも、構成が簡単である。また、他方の側面壁５の切り込み部２０は、側面壁５の対角線上に延びるスリット形状に形成されているので、切り込み部２０を最小限の大きさにできる。
【００３５】
（第３実施形態）
図３は本発明の第３実施形態を示し、ペット収納ボックス１Ｃの斜視図である。この第３実施形態のペット収納ボックス１Ｃでは、天面部３と底面壁２に、第１実施形態と同様な構成の切り込み部１０がそれぞれ形成されている。なお、他の構成は上記第１実施形態と同様であるため、重複説明を回避すると共に、図面の同一構成箇所には同一符号を付してその明確化を図る。
【００３６】
この第３実施形態においても、ペット収納ボックス１Ｃを使用状態と収納状態に簡単に変更でき、しかも、構成が簡単である。
【００３７】
（第４実施形態）
図４は本発明の第４実施形態を示し、ペット収納ボックス１Ｄの斜視図である。この第４実施形態のペット収納ボックス１Ｄでは、天面部３と底面壁２に、第２実施形態と同様な構成の切り込み部１０，２０がそれぞれ形成されている。なお、他の構成は上記第２実施形態と同様であるため、重複説明を回避すると共に、図面の同一構成箇所には同一符号を付してその明確化を図る。
【００３８】
この第４実施形態においても、ペット収納ボックス１Ｄを使用状態と収納状態に簡単に変更でき、しかも、構成が簡単である。
【００３９】
なお、第１〜第４実施形態では、切り込み部１０，２０を側面壁４，５や底面壁２及び天面部３に設けているが、前面壁６及び後面壁７に設けても良いことはもちろんである。また、第１〜第４実施形態では、切り込み部１０，２０はコ字形状やスリット形状に形成されているが、壁面部の互いに対向する稜線部同士を合わせる状態に変形可能にできる形状であれば、その形状を問わない。
【００４０】
（第５実施形態）
図５は本発明の第５実施形態を示し、図５（ａ）はペット収納ボックス１Ｅの斜視図、図５（ｂ）はペット収納ボックス１Ｅの第二の紐を引っ張っている途中の斜視図である。この実施の形態に係るペット収納ボックス１Ｅでは、天面部３に設けられる切り込み部１０が形成されている。そして、切り込み部１０によって方形状のペット出入口１１が形成されている。このペット出入口１１には、蓋体１２が開閉自在に設けられている。蓋体１２の周縁とペット出入口１１の周縁にはファスナーのレール１３が設けられている。そして、ファスナーの２個のスライダー１４の頭が向かい合わせの両開きファスナーとなっている。各スライダー１４に取り付けられている引手１５には、各引手１５を繋ぐ第一の紐１６が設けられている。また、ファスナーの閉じ側の辺の略中央部の天面固着部１７ａと、この辺と対向する辺の略中央部の他端固着部１７ｂには、ファスナーの閉じ側の辺とこの辺と対向する辺を繋ぐ第二の紐１７が設けられている。なお、他の構成は上記第２実施形態と同様であるため、重複説明を回避すると共に、図面の同一構成箇所には同一符号を付してその明確化を図る。
【００４１】
上記第一の紐１６及び第二の紐１７を設けた場合には、ファスナーを閉じる場合には、第一の紐１６を片手で引くことにより容易に閉じることができる。また、蓋体１２を開口させるときには、図５（ｂ）に示す矢印方向に第二の紐１７を引くことにより、ファスナーの閉じ側の辺が天面固着部１７ａより他端側に引き寄せられてファスナーが開き、蓋体１２が上部に向かってめくられる。このように、片手で容易に蓋体１２を開口させることができる。
【００４２】
以上示したように、第一及び第二の紐を設けることにより、蓋体をの開閉の際に、ファスナーの引手をそれぞれ手でつまんで蓋体を開閉させるという面倒な操作をしなくても蓋体の開閉が可能となる。
【００４３】
（第６実施形態）
図６及び図７は本発明の第６実施形態を示し、図６はペット収納ボックス１Ｆの使用状態の斜視図、図７はペット収納ボックス１Ｆの収納状態の平面図である。
【００４４】
この第６実施形態のペット収納ボックス１Ｆでは、第１実施形態と異なり、両側の側面壁４，５の対角線上に位置する稜線部に黒線で示す切り込み部２１をそれぞれ設けられている。各切り込み部２１は、この側面壁４，５に隣接する天面部３、前面壁６及び底面壁２間の上下両側の稜線部の途中まで延設されることによって略コ字状を有する。各切り込み部２１にはファスナー（不図示）が設けられており、ファスナーを閉めることにより切り込み部２１を閉じ、ファスナーを開けることにより切り込み部２１を開くことができるようになっている。なお、他の構成は上記第１実施形態と同様であるため、重複説明を回避すると共に、図面の同一構成箇所には同一符号を付してその明確化を図る。
【００４５】
上記構成において、図６の使用状態にあるペット収納ボックス１Ｆにあって、両側の切り込み部２１のファスナー（不図示）をそれぞれ開き、各切り込み部２１を利用して各側面壁４，５を前面壁６及び後面壁７の内側にそれぞれ折り込む。そして、折り込んだ一対の側面壁４，５を互いに突き合わせる方向に押圧力を加えて折り畳むことによって、図７に示す収納状態にできる。
【００４６】
以上示したように、このペット収納ボックス１Ｆでは、切り込み部２１によって側面壁４，５を隣接する前面壁６及び後面壁７の内側にそれぞれ折り込み、折り込んだ一対の側面壁４，５を互いに付き合わせる方向に押圧することによって折り畳むことができ、かつ、２つの側面壁４，５の対角線上に位置する各稜線部に沿って所定の切り込み部２１を設ければ良い。このため、使用状態と収納状態に簡単に変更でき、しかも、構成が簡単である。
【００４７】
このように本実施の形態に係るペット収納ボックス１Ｆでは、切り込み部２１が両側の側面壁４，５の稜線部に設けられているが、切り込み部を底面壁２及び天面部３の稜線部に設けても良い。ただし、本実施形態のように側面壁４，５に設ければ、ペットの排泄物が切り込み部２１より漏れて車両シート等を汚すことを極力防止できる。
【００４８】
なお、本実施の形態において、切り込み部２１は、ペット収納ボックス１Ｆの側面壁４，５に隣接する天面部３、前面壁６及び底面壁２間の上下両側の稜線部の途中まで延設されているが、この切り込み部２１を側面壁４，５の間に設けても良い。つまり、天面部３の略中央部から前面壁６又は後面壁７そして底面壁２の略中央部にかけて切り込み部２１を設けた場合にも、使用状態と収納状態に簡単に変更でき、しかも、構成が簡単なペット収納ボックスが得られる。
【図面の簡単な説明】
【００４９】
【図１】本発明の第１実施形態を示し、（ａ）はペット収納ボックスの使用状態の斜視図、（ｂ）はペット収納ボックスの使用状態から収納状態に移行する途中の斜視図、（ｃ）はペット収納ボックスの収納状態の斜視図である。
【図２】本発明の第２実施形態を示し、ペット収納ボックスの使用状態の斜視図である。
【図３】本発明の第３実施形態を示し、ペット収納ボックスの使用状態の斜視図である。
【図４】本発明の第４実施形態を示し、ペット収納ボックスの使用状態の斜視図である。
【図５】本発明の第５実施形態を示し、（ａ）はペット収納ボックスの斜視図、（ｂ）はペット収納ボックスの第二の紐を引っ張っている途中の斜視図である。
【図６】本発明の第６実施形態を示し、ペット収納ボックスの使用状態の斜視図である。
【図７】本発明の第６実施形態を示し、ペット収納ボックスの収納状態の平面図である。
【図８】従来例を示し、ペット収納ボックスの使用状態の斜視図である。
【図９】従来例を示し、ペット収納ボックスの使用状態から収納状態への移行過程の斜視図である。
【図１０】従来例を示し、ペット収納ボックスの収納状態の斜視図である。
【符号の説明】
【００５０】
１Ａ〜１Ｆ  ペット収納ボックス
２  底面壁（側面部）
３  天面部（側面部）
４，５  側面壁（側面部）
６  前面壁（側面部）
７  後面壁（側面部）
１０  切り込み部
１１  ペット出入口
１２  蓋体
１３  レール
１４  スライダー
１５  引手
１６  第一の紐
１７  第二の紐
１７ａ  天面固着部
１７ｂ  他端固着部
２０  切り込み部
２１  切り込み部
【図１】
2005348701.tif 000003
【図２】
2005348701.tif 000004
【図３】
2005348701.tif 000005
【図４】
2005348701.tif 000006
【図５】
2005348701.tif 000007
【図６】
2005348701.tif 000008
【図７】
2005348701.tif 000009
【図８】
2005348701.tif 000010
【図９】
2005348701.tif 000011
【図１０】
2005348701.tif 000012